(57)【要約】【課題】  簡単な構成であって可搬性のある消毒器具または消毒装置を提供する。【解決手段】  本発明に係る携帯型消毒装置は、一方の端部と当該一方の端部に対向する他方の端部とを有し、一方の端部と他方の端部間内に消毒液を収容可能であり、かつ弾性を有するチューブ１００と、チューブの一方の端部に接続され、前記消毒液を噴霧して出力する噴霧部材１１０と、チューブの一方の端部と他方の端部との間に湾曲部１０２を形成するようにチューブ１００を保持する保持部材１３０とを有する。【選択図】  図４
2011050411.tif 000002
【特許請求の範囲】
【請求項１】
一方の端部と当該一方の端部に対向する他方の端部とを有し、一方の端部と他方の端部間内に消毒液を収容可能であり、かつ弾性を有するチューブと、
前記チューブの一方の端部に接続され、前記消毒液を噴霧して出力する噴霧部材と、
前記チューブの一方の端部と他方の端部との間に湾曲部を形成するように前記チューブを保持する保持部材と、
を有する携帯型消毒装置。
【請求項２】
一方の端部と当該一方の端部に対向する他方の端部とを有し、一方の端部と他方の端部間内に消毒液を収容可能であり、かつ弾性を有する単一のチューブと、
前記チューブの一方の端部に接続され、前記消毒液を噴霧して出力する噴霧部材と、
を有する携帯型消毒装置。
【請求項３】
前記チューブは、シリコーンゴムから構成される、請求項１または２に記載の携帯型消毒装置。
【請求項４】
前記保持部材は、弾力性のあるゴム部材である、請求項１に記載の携帯型消毒装置。
【請求項５】
前記保持部材は、粘着性のあるテープである、請求項１に記載の携帯型消毒装置。
【請求項６】
前記噴霧部材は、押下可能なボタンを有し、ボタンが押下されることによってミスト状の消毒液を出力する、請求項１または２に記載の携帯型消毒装置。
【請求項７】
前記他方の端部には、チューブ内に流体を供給可能な弁部材が接続される、請求項１または２に記載の携帯型消毒装置。
【発明の詳細な説明】
【技術分野】
【０００１】
本発明は、携帯型消毒装置に関する。
【背景技術】
【０００２】
図１（ａ）、（ｂ）に示すように、従来の消毒装置１０は、アルコール液等の消毒液を収容する容器１２と、容器１２の先端に取り付けられた噴霧部材１４とを有している。噴霧部材１４には、容器１２内の消毒液を吸入する吸入管１６と噴霧部材１４によってミスト状に噴霧された消毒液を吐出する吐出管１８が取り付けられている。噴霧部材１４を押下することで、消毒液が吸入管１６を介して吸入され、吸入された消毒液が霧化されて吐出管１８から吐出される。このような消毒装置は、例えば、特許文献１や特許文献２に開示されている。
【先行技術文献】
【特許文献】
【０００３】
【特許文献１】特開２００３−２６５５８３号
【特許文献２】特開２００２−５９０４４号
【発明の概要】
【発明が解決しようとする課題】
【０００４】
しかしながら、従来の消毒装置は、設置することを前提に設計されているものであるから可搬性に優れていない。従って、ユーザは、消毒装置が設置されている場所に行き、そこで、ノズルから消毒液を手などに噴霧しなければならなかった。特に、不特定多数の人間が接する機会が多い、病院、介護施設、レストランなどでは、風邪、インフルエンザ、その他、飛沫感染、空気感染、接触感染を生じさせる病原菌の感染や流行を防止し、予防し、あるいは施設内の衛生を図るうえでも、消毒装置を手軽に持ち運びすることができ、好きなときに消毒をすることができれば、便利である。特許文献２は、携帯型の消毒装置であるが、依然として上記の課題を解決するものではない。
【０００５】
本発明は、このような従来の課題を解決し、簡単な構成であって可搬性のある消毒器具または消毒装置を提供することを目的とする。
【課題を解決するための手段】
【０００６】
本発明に係る携帯型消毒装置は、一方の端部と当該一方の端部に対向する他方の端部とを有し、一方の端部と他方の端部間内に消毒液を収容可能であり、かつ弾性を有するチューブと、前記チューブの一方の端部に接続され、前記消毒液を噴霧して出力する噴霧部材と、前記チューブの一方の端部と他方の端部との間に湾曲部を形成するように前記チューブを保持する保持部材とを有する。さらに本発明の携帯型消毒装置は、一方の端部と当該一方の端部に対向する他方の端部とを有し、一方の端部と他方の端部間内に消毒液を収容可能であり、かつ弾性を有するチューブと、前記チューブの一方の端部に接続され、前記消毒液を噴霧して出力する噴霧部材とを有する。
【０００７】
好ましくは前記チューブは、シリコーンゴムから構成される。好ましくは、保持部材は、弾力性のあるゴム部材である。また保持部材は、粘着性のあるテープであってもよい。好ましくは、噴霧部材は、押下可能なボタンを有し、ボタンが押下されることによってミスト状の消毒液を出力する。好ましくは前記他方の端部には、チューブ内に流体を供給可能な弁部材が接続される。
【発明の効果】
【０００８】
本発明によれば、持ち運びが簡単であり、何時でも好きなときに手などの消毒をすることができる。さらに、構成が簡単であるため、低コストの消毒装置を提供することができる。
【図面の簡単な説明】
【０００９】
【図１】図１（ａ）、（ｂ）は、従来の消毒装置の例を示す図である。
【図２】図２（ａ）は、本発明の実施例に係る携帯型消毒装置を示す図、図２（ｂ）は弁部材の構成例を示す図である。
【図３】図３（ａ）は、本発明の実施例に係る携帯型消毒装置を示す図、図３（ｂ）は固定部材の平面図、図３（ｃ）は固定部材の他の例を示す図である。
【図４】本発明の実施例に係る携帯型消毒装置の使用例を示す図である。
【図５】本発明の実施例に係る携帯型消毒装置の使用例を示す図である。
【図６】本発明の実施例に係る携帯型消毒装置の変形例を示す図である。
【発明を実施するための形態】
【００１０】
以下、本発明の最良の実施の形態について図面を参照して詳細に説明する。
【実施例】
【００１１】
図２は、本発明の実施例に係る携帯型消毒器具の構成を示す図である。本実施例に係る携帯型消毒器具１００は、可撓性および弾力性のある管状の１本のチューブ１００と、チューブ１００の一方の端部に取り付けられた噴霧部材１１０と、他方の端部に取り付けられた弁部材１２０とを有する。チューブ１００は、好ましくはシリコーンゴムから構成されるが、他のゴムやプラスチップ部材から構成されてもよい。チューブ１００は、例えば、直径が６ｍｍないし１０ｍｍであり、内部に一定容量の消毒液を収容することができるように、例えば１ｍ１０ｃｍ程度の長さを有する。さらに好ましくはチューブ１００は、透明または半透明であり、肉眼により消毒液の残容量を確認することが可能である。噴霧部材１１０および弁部材１２０を取り外し可能にし、噴霧部材１１０または弁部材１２０を取り外してチューブ１００内に消毒液を充填することができる。あるいは、後述するように弁部材１２０を介して消毒液をチューブ内に充填するようにしてもよい。
【００１２】
噴霧部材１１０は、チューブ内の消毒液を噴霧状にして噴射させるものであり、公知の構成を用いることができる。噴霧部材１１０は、チューブ１００の一方の端部の内壁に圧入される。噴霧部材１１０は、好ましくは、円筒状の押下式のボタン１１２を有し、ボタン１１２の側壁には噴霧孔１１４が形成されている。ボタン１１２を押下することで、チューブ１００内の消毒液が吸入管（図示しない）に吸い込まれ、噴霧孔１１４からミスト状になって噴霧される。
【００１３】
弁部材１２０は、チューブ１００内の空気圧を調整するものであり、チューブ内の消毒液の消費に応じてチューブ内に空気を注入することができる。空気を注入することで消毒液の噴霧効率が改善される。弁部材１２０は、特にその構成を限定されないが、例えば、回転するネジと当該ネジを収容する円筒状の締結部材（チューブの内壁に圧入される）とを含み、ネジを一方の方向に回転させることで、ネジと円筒状の締結部材間に隙間を形成し、その隙間から空気がチューブ内に流入される。その後、ネジを他方の方向に回転させてネジを円筒状の締結部材に締結することでチューブの端部が完全に封止される。
【００１４】
あるいは、ネジの代わりに、スプリングなどのバネ部材によって軸方向に付勢されたボタン状の弁であって、弁を付勢に抗して移動させることで空気をチューブ内に注入させるものであってもよい。弁部材１２０は、例えば、図２（ｂ）に示すように、チューブ１００の他方の端部に圧入された環状部材１２２と、環状部材１２２の開口内を軸方向に移動することが可能な軸を有する弁１２４と、弁１２４を外側に向けて付勢するスプリング１２６とを有する。弁１２４をスプリング１２６に抗して移動させることで、弁１２４と環状部材１２２間に間隙を形成するようにしてもよい。
【００１５】
さらに弁部材１２０は、中央に貫通孔が形成されたゴムタイプのものであってもよい。通常の状態において、貫通孔は、ゴムの圧力によって封止されており、チューブ内の消毒液は外部に漏れないように保たれる。チューブ内の空気を外部に漏洩させるとき、あるいはチューブ内に消毒液を充填させるとき、針状の部材を貫通孔に差込み、針状の部材を介して空気を抜いたり、あるいは消毒液を注入してもよい。針状の部材は、注射器の先端に取り付けられたもの、あるいはテニスボールなどの空気を注入するような器具を利用することができる。
【００１６】
携帯型消毒器具はさらに、図３（ａ）、（ｂ）に示すように、チューブ１００の一部に湾曲部１０２を形成し、その湾曲部１０２の形状をおおよそ保持することができるような固定部材１３０を有する。固定部材１３０は、例えば、環状の弾性ゴム、ひも、ひも状の部材、粘着性のあるテープなどから構成される。図の例は、環状の弾性ゴムを示している。チューブ１００は、弾力性を有しているため、チューブ１００に容易に湾曲部１０２を形成することができ、湾曲部１０２は、固定部材１３０によって弾性的に保持される。固定部材１３０の位置をずらすことで、湾曲部１０２の大きさを自由に変えることができる。
【００１７】
図３（ｃ）は、固定部材１３０の他の例である。固定部材１３０Ａは、２つのＣ字型保持部１３２、１３４を含むプラスチック部材またはゴム部材から構成される。２つのＣ字型保持部１３２、１３４は、チューブ１００を弾性的に保持する。
【００１８】
図４は、本実施例の携帯型消毒装置の使用例を示す図である。同図に示すように、携帯型消毒装置１００の湾曲部１０２がユーザの首に掛けられる。約１ｍの長さのチューブ１００には、最大で、約１００回分の噴霧を行うことができる程度の消毒液が保存される。ユーザは、チューブ１００の端部を手に取り、押下ボタン１１２を押下し、所望の方向に消毒液を噴霧することができる。勿論、ユーザ自身の手を消毒することもできる。消毒液は、例えばアルコール液が用いられるが、他の殺菌、滅菌性を有する溶液が用いられても良い。
【００１９】
上記実施例では、チューブ１００に湾曲部１０２を形成するために保持部材１３０を用いたが、本発明の携帯型消毒装置は、必ずしも保持部材を用いなくともよい。例えば、図５に示すように、保持部材を装着せずに１本のチューブそのものを首などに掛けて使用するようにしてもよい。また、保持部材を用いることなく、チューブの湾曲部が維持できるように、チューブそのものに係合部を形成し、一方の係合部が他方の係合部に係止できるようにしてもよい。係合部は、突起、凸部、凹部、溝、フックなどの組み合わせを用いて形成することができる。例えば、図６に示すように、一方のチューブに凸部１５０を形成し、他方のチューブに凹部１５２を形成するようにしてもよい。さらに、このような係合部は、チューブと一体構成に限らず、別体であってもよい。
【００２０】
以上、本発明の好ましい実施の形態について詳述したが、本発明は、特定の実施形態に限定されるものではなく、請求項の範囲に記載された本発明の要旨の範囲内において、種々の変形・変更が可能である。
【符号の説明】
【００２１】
１００：チューブ
１０２：湾曲部
１１０：噴霧部材
１１２：ボタン
１１４：噴霧孔
１２０：弁部材
１３０、１３０Ａ：固定部材
１３２、１３４：Ｃ字型保持部
１５０：凸部
１５２：凹部
【図１】
2011050411.tif 000003
【図２】
2011050411.tif 000004
【図３】
2011050411.tif 000005
【図４】
2011050411.tif 000006
【図５】
2011050411.tif 000007
【図６】
2011050411.tif 000008